(57)【要約】【課題】スキップされたページであるか否かを容易に確認することが可能になるとともに、差し替えを行う際に容易に原稿を特定することが可能な画像読取装置およびその画像処理方法を提供する。【解決手段】イメージデータ作成部はイメージデータを作成し、保存制御部はイメージデータ等を保存部に保存する。スキップの指示が入力された場合、スキップ情報付加部はスキップ情報を予め用意しているスキップ用のイメージデータに付加し、スキップ用のイメージデータ等を保存部に保存する。イメージデータの一覧の表示の要求が入力された場合、表示制御部はイメージデータのサムネールおよびスキップ用のサムネールの一覧を表示部に表示する。【選択図】図１
2006067474.tif 000002
【特許請求の範囲】
【請求項１】
原稿を読み取って画像データを保存する保存手段と、該画像データを表示する表示手段とを具備する画像読取装置において、
原稿を読み取ってデジタルデータを入力する画像読取手段と、
前記画像読取手段で入力したデジタルデータに基づき、前記画像データを作成する画像データ作成手段と、
前記原稿の読み取りを省略する場合、該省略に関する省略情報を予め用意した所定の画像データに付加する省略情報付加手段と、
前記画像データ作成手段で作成した画像データ、および前記省略情報付加手段で前記省略情報を付加した所定の画像データを前記保存手段に保存する制御を実施する保存制御手段と、
前記保存手段に保存した画像データおよび省略情報を付加した所定の画像データの一覧を前記表示手段に表示する制御を実施する表示制御手段と
を具備することを特徴とする画像読取装置。
【請求項２】
前記省略情報を入力する入力手段
を更に具備し、
前記省略情報付加手段は、
前記入力手段により入力された省略情報を前記所定の画像データに付加する
ことを特徴とする請求項１記載の画像読取装置。
【請求項３】
前記画像データに関する属性情報および前記省略情報を入力する入力手段
を更に具備し、
前記保存制御手段は、
前記属性情報および前記省略情報を前記保存手段に保存し、
前記表示制御手段は、
前記保存手段に保存した属性情報および省略情報の一覧を前記表示手段に表示する
ことを特徴とする請求項１記載の画像読取装置。
【請求項４】
前記省略情報付加手段は、
前記省略情報を前記所定の画像データに付加しない
ことを特徴とする請求項１記載の画像読取装置。
【請求項５】
前記画像データ作成手段は、
前記原稿の読み取りを実施する場合、前記画像データを作成するとともに、該画像データに対応する画像データ情報を作成し、
前記保存制御手段は、
前記保存手段への前記省略情報を付加した所定の画像データの保存を行わない
ことを特徴とする請求項１記載の画像読取装置。
【請求項６】
前記画像データ作成手段は、
前記画像データの縮小画像を更に作成し、
前記省略情報付加手段は、
前記省略情報を付加した所定の画像データの縮小画像を更に作成し、
前記保存制御手段は、
前記画像データ作成手段で作成した画像データと該画像データの縮小画像、および前記省略情報付加手段で作成した所定の画像データと該所定の画像データの縮小画像を前記保存手段に保存し、
前記表示制御手段は、
前記保存手段に保存した画像データの縮小画像および所定の画像データの縮小画像を前記表示手段に表示する
ことを特徴とする請求項１記載の画像読取装置。
【請求項７】
前記省略情報付加手段は、
前記省略情報を付加した所定の画像データを作成する際に、該省略情報を前記縮小画像においても目視可能な大きさに拡大する
ことを特徴とする請求項６記載の画像読取装置。
【請求項８】
前記表示手段に表示された画像データおよび所定の画像データの一覧から差し替え画像データの指定を入力する入力手段
を更に具備し、
前記保存制御手段は、
前記入力手段により指定された差し替え画像データと、新たに読み取った画像データとを差し替えて保存手段に保存する
ことを特徴とする請求項１記載の画像読取装置。
【請求項９】
前記入力手段は、
前記表示手段に表示された属性情報および省略情報の一覧から差し替え画像データの指定を入力し、
前記保存制御手段は、
前記入力手段により指定された差し替え画像データと、新たに読み取った画像データとを差し替えて保存手段に保存する
ことを特徴とする請求項３記載の画像読取装置。
【請求項１０】
原稿を読み取って画像データを保存する保存手段と、該画像データを表示する表示手段とを具備する画像読取装置の画像処理方法において、
原稿を読み取ってデジタルデータを画像読取手段により入力し、
該入力したデジタルデータに基づき、前記画像データを画像データ作成手段により作成し、
該作成した画像データを保存制御手段により前記保存手段に保存し、
前記原稿の読み取りを省略する場合、該省略に関する省略情報を省略情報付加手段により予め用意した所定の画像データに付加し、
前記省略情報を付加した所定の画像データを前記保存制御手段により前記保存手段に保存し、
前記保存手段に保存した画像データおよび省略情報を付加した所定の画像データの一覧を表示制御手段により前記表示手段に表示する
ことを特徴とする画像読取装置の画像処理方法。
【請求項１１】
前記省略情報付加手段は、
入力手段により入力された省略情報を前記所定の画像データに付加する
ことを特徴とする請求項１０記載の画像読取装置の画像処理方法。
【請求項１２】
前記保存制御手段は、
入力手段により入力された前記画像データに関する属性情報および省略情報を前記保存手段に保存し、
前記表示制御手段は、
前記保存手段に保存した属性情報および省略情報の一覧を前記表示手段に表示する
ことを特徴とする請求項１０記載の画像読取装置の画像処理方法。
【請求項１３】
前記省略情報付加手段は、
前記省略情報を前記所定の画像データに付加しない
ことを特徴とする請求項１０記載の画像読取装置の画像処理方法。
【請求項１４】
前記画像データ作成手段は、
前記原稿の読み取りを実施する場合、前記画像データを作成するとともに、該画像データに対応する画像データ情報を作成し、
前記保存制御手段は、
前記保存手段への前記省略情報を付加した所定の画像データの保存を行わない
ことを特徴とする請求項１０記載の画像読取装置の画像処理方法。
【請求項１５】
前記画像データ作成手段は、
前記画像データの縮小画像を更に作成し、
前記省略情報付加手段は、
前記省略情報を付加した所定の画像データの縮小画像を更に作成し、
前記保存制御手段は、
前記画像データと該画像データの縮小画像、および前記所定の画像データと該所定の画像データの縮小画像を前記保存手段に保存し、
前記表示制御手段は、
前記保存手段に保存した画像データの縮小画像および所定の画像データの縮小画像を前記表示手段に表示する
ことを特徴とする請求項１０記載の画像読取装置の画像処理方法。
【請求項１６】
前記省略情報付加手段は、
前記省略情報を付加した所定の画像データを作成する際に、該省略情報を前記縮小画像においても目視可能な大きさに拡大する
ことを特徴とする請求項１５記載の画像読取装置の画像処理方法。
【請求項１７】
前記保存制御手段は、
入力手段により前記表示手段に表示された画像データおよび所定の画像データの一覧から差し替え画像データの指定が入力された場合、該指定された差し替え画像データと、新たに読み取った画像データとを差し替えて保存手段に保存する
ことを特徴とする請求項１０記載の画像読取装置の画像処理方法。
【請求項１８】
前記入力手段は、
前記表示手段に表示された属性情報および省略情報の一覧から差し替え画像データの指定を入力し、
前記保存制御手段は、
前記指定された差し替え画像データと、新たに読み取った画像データとを差し替えて保存手段に保存する
ことを特徴とする請求項１２記載の画像読取装置の画像処理方法。
【発明の詳細な説明】
【技術分野】
【０００１】
本発明は、画像読取装置およびその画像処理方法に関し、特に、読み取った画像データを電子ファイルとして保存する画像読取装置およびその画像処理方法に関する。
【背景技術】
【０００２】
従来、スキャナ等より読み取った画像データを電子ファイルとして保存する画像読取装置が普及している。大量の原稿を読み取って、画像データに名前およびその他の属性を付加するような場合に、事情によりスキャンすべき原稿が用意されていないことがある。このような場合においてページがスキップされていることを確認するための技術が提案されている。
【０００３】
例えば、画像データが記憶されたページ間に空白のページを挿入する画像データ処理装置がある（例えば、特許文献１参照。）。
【０００４】
また、例えば、原稿挿入を行うか否かの識別情報をドキュメントデータに保持し、出力時に原稿を差し替える情報処理装置、画像処理システム、画像処理方法、及び記憶媒体がある（例えば、特許文献２参照。）。
【０００５】
また、例えば、文書ＩＤをイメージデータに貼り付けることにより、そのイメージデータを読み込んだ時に対応するイメージデータに差し替える画像処理装置および画像編集方法がある（例えば、特許文献３参照。）。
【０００６】
また、例えば、各画像部品にＩＤを付加して一元管理することにより、常に最新の画像を利用する製板プロセスの管理方法がある（例えば、特許文献４参照。）。
【特許文献１】特開平７−１５２９２１号公報
【特許文献２】特開２００２−１８９７１２号公報
【特許文献３】特開平１１−２９６６５５号公報
【特許文献４】特開平８−２９２５４７号公報
【発明の開示】
【発明が解決しようとする課題】
【０００７】
しかし、上記特許文献１に記載の技術では、空白のページを挿入することができても、挿入すべき位置を特定するためには、ページ番号を指定しなければならないという問題を抱えている。
【０００８】
また、上記特許文献２に記載の技術では、差し替えを行うか否かの情報のみを保持しているに過ぎず、実際にどの原稿を用いて差し替えるかの情報は保持していないため、誤った原稿を挿入してしまう恐れがあるという問題を抱えている。
【０００９】
また、上記特許文献３に記載の技術では、挿入箇所を指定する具体的な処理については記載されていない。
【００１０】
また、上記特許文献４に記載の技術では、出力結果を確認しただけでは差し替えが必要なページであるか否かを容易に確認することが困難であるという問題を抱えている。
【００１１】
そこで、本発明は、スキップされたページであるか否かを容易に確認することが可能になるとともに、差し替えを行う際に容易に原稿を特定することが可能な画像読取装置およびその画像処理方法を提供することを目的とする。
【課題を解決するための手段】
【００１２】
上記目的を達成するため、請求項１の発明は、原稿を読み取って画像データを保存する保存手段と、該画像データを表示する表示手段とを具備する画像読取装置において、原稿を読み取ってデジタルデータを入力する画像読取手段と、前記画像読取手段で入力したデジタルデータに基づき、前記画像データを作成する画像データ作成手段と、前記原稿の読み取りを省略する場合、該省略に関する省略情報を予め用意した所定の画像データに付加する省略情報付加手段と、前記画像データ作成手段で作成した画像データ、および前記省略情報付加手段で前記省略情報を付加した所定の画像データを前記保存手段に保存する制御を実施する保存制御手段と、前記保存手段に保存した画像データおよび省略情報を付加した所定の画像データの一覧を前記表示手段に表示する制御を実施する表示制御手段とを具備することを特徴とする。
【００１３】
また、請求項２の発明は、請求項１の発明において、前記省略情報を入力する入力手段を更に具備し、前記省略情報付加手段は、前記入力手段により入力された省略情報を前記所定の画像データに付加することを特徴とする。
【００１４】
また、請求項３の発明は、請求項１の発明において、前記画像データに関する属性情報および前記省略情報を入力する入力手段を更に具備し、前記保存制御手段は、前記属性情報および前記省略情報を前記保存手段に保存し、前記表示制御手段は、前記保存手段に保存した属性情報および省略情報の一覧を前記表示手段に表示することを特徴とする。
【００１５】
また、請求項４の発明は、請求項１の発明において、前記省略情報付加手段は、前記省略情報を前記所定の画像データに付加しないことを特徴とする。
【００１６】
また、請求項５の発明は、請求項１の発明において、前記画像データ作成手段は、前記原稿の読み取りを実施する場合、前記画像データを作成するとともに、該画像データに対応する画像データ情報を作成し、前記保存制御手段は、前記保存手段への前記省略情報を付加した所定の画像データの保存を行わないことを特徴とする。
【００１７】
また、請求項６の発明は、請求項１の発明において、前記画像データ作成手段は、前記画像データの縮小画像を更に作成し、前記省略情報付加手段は、前記省略情報を付加した所定の画像データの縮小画像を更に作成し、前記保存制御手段は、前記画像データ作成手段で作成した画像データと該画像データの縮小画像、および前記省略情報付加手段で作成した所定の画像データと該所定の画像データの縮小画像を前記保存手段に保存し、前記表示制御手段は、前記保存手段に保存した画像データの縮小画像および所定の画像データの縮小画像を前記表示手段に表示することを特徴とする。
【００１８】
また、請求項７の発明は、請求項６の発明において、前記省略情報付加手段は、前記省略情報を付加した所定の画像データを作成する際に、該省略情報を前記縮小画像においても目視可能な大きさに拡大することを特徴とする。
【００１９】
また、請求項８の発明は、請求項１の発明において、前記表示手段に表示された画像データおよび所定の画像データの一覧から差し替え画像データの指定を入力する入力手段を更に具備し、前記保存制御手段は、前記入力手段により指定された差し替え画像データと、新たに読み取った画像データとを差し替えて保存手段に保存することを特徴とする。
【００２０】
また、請求項９の発明は、請求項３の発明において、前記入力手段は、前記表示手段に表示された属性情報および省略情報の一覧から差し替え画像データの指定を入力し、前記保存制御手段は、前記入力手段により指定された差し替え画像データと、新たに読み取った画像データとを差し替えて保存手段に保存することを特徴とする。
【００２１】
また、請求項１０の発明は、原稿を読み取って画像データを保存する保存手段と、該画像データを表示する表示手段とを具備する画像読取装置の画像処理方法において、原稿を読み取ってデジタルデータを画像読取手段により入力し、該入力したデジタルデータに基づき、前記画像データを画像データ作成手段により作成し、該作成した画像データを保存制御手段により前記保存手段に保存し、前記原稿の読み取りを省略する場合、該省略に関する省略情報を省略情報付加手段により予め用意した所定の画像データに付加し、前記省略情報を付加した所定の画像データを前記保存制御手段により前記保存手段に保存し、前記保存手段に保存した画像データおよび省略情報を付加した所定の画像データの一覧を表示制御手段により前記表示手段に表示することを特徴とする。
【００２２】
また、請求項１１の発明は、請求項１０の発明において、前記省略情報付加手段は、入力手段により入力された省略情報を前記所定の画像データに付加することを特徴とする。
【００２３】
また、請求項１２の発明は、請求項１０の発明において、前記保存制御手段は、入力手段により入力された前記画像データに関する属性情報および省略情報を前記保存手段に保存し、前記表示制御手段は、前記保存手段に保存した属性情報および省略情報の一覧を前記表示手段に表示することを特徴とする。
【００２４】
また、請求項１３の発明は、請求項１０の発明において、前記省略情報付加手段は、前記省略情報を前記所定の画像データに付加しないことを特徴とする。
【００２５】
また、請求項１４の発明は、請求項１０の発明において、前記画像データ作成手段は、前記原稿の読み取りを実施する場合、前記画像データを作成するとともに、該画像データに対応する画像データ情報を作成し、前記保存制御手段は、前記保存手段への前記省略情報を付加した所定の画像データの保存を行わないことを特徴とする。
【００２６】
また、請求項１５の発明は、請求項１０の発明において、前記画像データ作成手段は、前記画像データの縮小画像を更に作成し、前記省略情報付加手段は、前記省略情報を付加した所定の画像データの縮小画像を更に作成し、前記保存制御手段は、前記画像データと該画像データの縮小画像、および前記所定の画像データと該所定の画像データの縮小画像を前記保存手段に保存し、前記表示制御手段は、前記保存手段に保存した画像データの縮小画像および所定の画像データの縮小画像を前記表示手段に表示することを特徴とする。
【００２７】
また、請求項１６の発明は、請求項１５の発明において、前記省略情報付加手段は、前記省略情報を付加した所定の画像データを作成する際に、該省略情報を前記縮小画像においても目視可能な大きさに拡大することを特徴とする。
【００２８】
また、請求項１７の発明は、請求項１０の発明において、前記保存制御手段は、入力手段により前記表示手段に表示された画像データおよび所定の画像データの一覧から差し替え画像データの指定が入力された場合、該指定された差し替え画像データと、新たに読み取った画像データとを差し替えて保存手段に保存することを特徴とする。
【００２９】
また、請求項１８の発明は、請求項１２の発明において、前記入力手段は、前記表示手段に表示された属性情報および省略情報の一覧から差し替え画像データの指定を入力し、前記保存制御手段は、前記指定された差し替え画像データと、新たに読み取った画像データとを差し替えて保存手段に保存することを特徴とする。
【発明の効果】
【００３０】
本発明によれば、イメージデータだけを確認するだけで、スキップされたページであるか否かを容易に確認することが可能になるとともに、差し替え実施時に容易に原稿を特定することが可能になるという効果を奏する。
【００３１】
また、本発明によれば、属性情報の一覧を用いることができるので、イメージデータを黙視する必要無く、スキップされたページを容易に特定することが可能になるという効果を奏する。
【００３２】
また、本発明によれば、ユーザが任意のコメントを記入することができるので、他の使用者に対してコメントを通知することが可能になるという効果を奏する。
【発明を実施するための最良の形態】
【００３３】
以下、本発明に係る画像読取装置およびその画像処理方法の実施の形態について添付図面を参照して詳細に説明する。
【００３４】
図１は、本発明を適用した画像読取装置１の機能的な構成を示すブロック図である。
【００３５】
図１に示すように、画像読取装置１は、画像読取制御部２、画像読取部３、イメージデータ作成部４、ＵＩ（User Interface）５、スキップ情報付加部６、保存制御部７、保存部８、表示制御部９を具備して構成される。
【００３６】
ここで、各構成部について説明する。
【００３７】
画像読取制御部２は、画像読取装置１全体の制御処理を行う。
【００３８】
画像読取部３は、原稿を読み取るセンサ等を有し、原稿を読み取ってデジタルデータを入力する処理を行う。
【００３９】
イメージデータ作成部４は、画像読取部３で入力したデジタルデータに基づいてイメージデータ１０を作成するとともに、そのイメージデータ１０の縮小画像（以後、サムネールと称する）１１を作成する処理を行う。
【００４０】
ＵＩ５は、各種の情報を視覚的に表示し得るとともにユーザの指示を入力することができるタッチパネル式ディスプレイ等であり、原稿のスキップの指示、スキップした旨を示すスキップ情報等をユーザが入力するための入力部１２、読取処理の状況、イメージデータの一覧等をユーザが確認するための表示部１３を有する。なお、入力部１２はユーザが手作業にて入力するためのキーボード等以外にも、記憶媒体に予め格納されているファイルを読み込むための読み込み装置でも良い。
【００４１】
スキップ情報付加部６は、原稿をスキップした際に、予め用意しているスキップ用のイメージデータに入力部１２から入力されたスキップ情報１４を付加するとともに、スキップ情報１４を付加したスキップ用のイメージデータのサムネールを作成する処理を行う。
【００４２】
保存制御部７は、イメージデータ作成部４で作成したイメージデータ１０、サムネール１１、およびそのイメージデータ１０の属性情報１５を関連付けて保存部８に保存する制御処理、スキップ情報付加部６でスキップ情報１４を付加したスキップ用のイメージデータ、スキップ情報１４、およびスキップ用のイメージデータの属性情報１５を関連付けて保存部８に保存する制御処理を行い、更に、スキップ用のイメージデータの差し替え処理を行う。なお、属性情報１５は、予めユーザから設定若しくは入力されたもの（例えば、データ名、ページ番号、図面番号等）である。
【００４３】
表示制御部９は、表示部１３に対する読取処理の状況、イメージデータの一覧等の表示制御処理を行う。
【００４４】
次に、原稿を読み取り、イメージデータを保存する際に画像読取装置１が行う機能的な動作について図１を参照して説明する。
【００４５】
画像読取部３が原稿を読み取ってデジタルデータを入力すると、入力したデジタルデータをイメージデータ作成部４に渡し、イメージデータ作成部４はデジタルデータを受け取ると、受け取ったデジタルデータに基づいてイメージデータ１０を作成するとともに、そのイメージデータ１０のサムネール１１を作成し、作成したイメージデータ１０およびサムネール１１を保存制御部７に渡し、保存制御部７はイメージデータ１０およびサムネール１１を受け取ると、イメージデータ１０、サムネール１１および属性情報１５を関連付けて保存部８に保存する。
【００４６】
入力部１２によりユーザから原稿のスキップの指示が入力された場合、入力部１２はスキップの指示が入力された旨を画像読取制御部２に対して通知し、画像読取制御部２はスキップの指示が入力された通知を受け付けると、スキップ情報１４の入力を促す画面の表示を表示制御部９に対して指示し、表示制御部９はスキップ情報１４の入力を促す画面の表示の指示を受け付けると、スキップ情報１４の入力を促す画面を表示部１３に表示する。
【００４７】
なお、スキップ情報１４をキーボード等から手作業で入力する代わりに、記憶媒体に予め格納されているファイルから自動的にスキップ情報を読み込んでも良い。
【００４８】
入力部１２によりユーザからスキップ情報１４が入力されると、入力部１２はスキップ情報１４を画像読取制御部２に渡し、画像読取制御部２はスキップ情報１４を受け取ると、受け取ったスキップ情報１４をスキップ情報付加部６に渡し、スキップ情報付加部６はスキップ情報１４を受け取ると、受け取ったスキップ情報１４を予め用意しているスキップ用のイメージデータに付加するとともに（ここで、スキップ情報１４はサムネール上でも目視可能な程度に拡大される）、スキップ情報１４を付加したスキップ用のイメージデータのサムネールを作成し、スキップ用のイメージデータ、スキップ用のサムネールおよびスキップ情報１４を保存制御部７に渡し、保存制御部７はスキップ用のイメージデータ、スキップ用のサムネールおよびスキップ情報１４を受け取ると、スキップ用のイメージデータ、スキップ用のサムネール、スキップ情報１４および属性情報１５を関連付けて保存部８に保存する。
【００４９】
なお、入力部１２によるスキップ情報１４の入力を行わずに、単に白紙のイメージデータを保存部８に保存しても良いし、また、入力部１２によるスキップ情報１４の入力を行わずに、属性情報１５をスキップ用のイメージデータに付加して保存部８に保存しても良い。
【００５０】
入力部１２によりユーザからイメージデータの一覧の表示の要求が入力された場合、入力部１２はイメージデータの一覧の表示の要求が入力された旨を画像読取制御部２に対して通知し、画像読取制御部２はイメージデータの一覧の表示の要求が入力された通知を受け付けると、イメージデータの一覧の表示を表示制御部９に対して指示し、表示制御部９はイメージデータの一覧の表示の指示を受け付けると、保存部８からイメージデータのサムネール１０およびスキップ用のサムネールを読み出し、読み出したイメージデータのサムネール１０およびスキップ用のサムネールの一覧を表示部１３に表示する。なお、属性情報の一覧の表示の要求が入力された場合、表示制御部９は保存部８から属性情報１５およびスキップ情報１４を読み出し、読み出した属性情報１５およびスキップ情報１４の一覧を表示部１３に表示する。
【００５１】
次に、画像読取装置１が行うイメージデータ読み取りの処理手順について図２に示すフローチャートを参照して説明する。
【００５２】
原稿のスキップの指示を受け付けたか否かを確認する（ステップＳ２０１）。原稿のスキップの指示を受け付けたことを確認した場合（ステップＳ２０１でＹＥＳ）、ステップＳ２０２に進み、原稿のスキップの指示を受け付けていないことを確認した場合（ステップＳ２０１でＮＯ）、ステップＳ２０５に進む。
【００５３】
原稿のスキップの指示を受け付けたことを確認した場合（ステップＳ２０１でＹＥＳ）、スキップ情報を受け付け（ステップＳ２０２）、受け付けたスキップ情報をスキップ用のイメージデータに付加し（ステップＳ２０３）、スキップ用のイメージデータ、スキップ情報および属性情報を保存し（ステップＳ２０４）、ステップＳ２０８に進む。
【００５４】
原稿のスキップの指示を受け付けていないことを確認した場合（ステップＳ２０１でＮＯ）、原稿を読み取り（ステップＳ２０５）、イメージデータを作成し（ステップＳ２０６）、イメージデータおよび属性情報を保存し（ステップＳ２０７）、ステップＳ２０８に進む。
【００５５】
原稿が終了したか否か確認する（ステップＳ２０８）。原稿が終了したことを確認した場合（ステップＳ２０８でＹＥＳ）、イメージデータ読み取りの処理手順を終了し、原稿が終了していないことを確認した場合（ステップＳ２０８でＮＯ）、ステップＳ２０１に戻り、原稿が終了するまでステップＳ２０１〜ステップＳ２０８を繰り返す。
【００５６】
次に、画像読取装置１で行うイメージデータの読み取りについて具体例を用いて説明する。
【００５７】
図３は、原稿を読み取る際に表示部１３に表示される画面の一例を示す図である。
【００５８】
図３に示す画面において次原稿を読み取るか否かの指示を入力することができる。ここで、「読み取る」ボタン１６を押下等した場合は原稿の読み取りを行い、「終了」ボタン１７を押下等した場合はイメージデータの読み取りを終了する。
【００５９】
そして、「スキップ」ボタン１８を押下等した場合はスキップ情報を入力するための画面が表示部１３に表示される。
【００６０】
図４は、スキップ情報を入力するための画面の一例を示す図である。
【００６１】
図４に示す画面においてスキップ情報を入力することができる。ここで、スキップ情報入力欄１９にスキップ情報を入力し、「入力」ボタン２０を押下等すると、スキップ情報入力欄１９に入力されたスキップ情報がスキップ用のイメージデータに付加される。
【００６２】
次に、画像読取装置１で行うイメージデータ一覧若しくは属性情報一覧の表示について具体例を用いて説明する。
【００６３】
図５（ａ）は、イメージデータ一覧の画面の一例を示す図である。
【００６４】
図５（ａ）に示す画面には、読み取ったイメージデータのサムネールと、スキップされたことを示すスキップ用のイメージデータのサムネールとが表示されている。例えば、スキップ用のサムネールにはスキップ情報が表示されており（図５（ａ）に示す例では、５、７、１２、１３、１４）、ユーザがこの画面を見ることで、５枚目、７枚目、１２枚目、１３枚目および１４枚目の原稿がスキップされたことを確認できる。
【００６５】
なお、スキップ情報として、例えば、「このページのイメージデータは○○月××日に作成予定」等を入力することで、他の使用者に対してコメントを通知するという役割で使用することもできる。
【００６６】
図５（ｂ）は、イメージデータ一覧の画面の一例を示す図である。
【００６７】
図５（ｂ）に示す画面には、読み取ったイメージデータのサムネールと、スキップされたことを示す白紙のイメージデータのサムネールとが表示されており、ユーザがこの画面を見ることで、５枚目、７枚目、１２枚目、１３枚目および１４枚目の原稿がスキップされたことを確認できる。なお、白紙の代わりに前面黒（若しくは有色）のイメージデータが表示されても良い。
【００６８】
図５（ｃ）は、属性情報一覧の画面の一例を示す図である。
【００６９】
図５（ｃ）に示す画面には、属性情報一覧として、読み取ったイメージデータの属性情報と、スキップされたことを示すスキップ用のイメージデータのスキップ情報および属性情報とが表示されている。例えば、属性情報一覧中の５番目の欄には属性情報である「ページ５」と、スキップ情報である「５」とが表示されており（７番目の欄、１２番目の欄、１３番目の欄および１４番目の欄も同様）、ユーザがこの画面を見ることで、５枚目、７枚目、１２枚目、１３枚目および１４枚目の原稿がスキップされたことを確認できる。
【００７０】
更に、原稿を読み取る場合は読み込んだことを示す情報として、例えば、ページ番号と総ページ数と（以後、２つを合わせてページ番号情報と称する）を作成して保存し、原稿をスキップした場合はスキップ用のイメージデータ、スキップ情報１４および属性情報１５を保存しない構成を画像読取装置１に適用可能である。
【００７１】
次に、原稿を読み取り、イメージデータ１０を保存する際に、スキップ用のイメージデータ等を保存しない構成を適用した画像読取装置１が行う機能的な動作について図１を参照して説明する。
【００７２】
画像読取部３が原稿を読み取ってデジタルデータを入力すると、入力したデジタルデータをイメージデータ作成部４に渡し、イメージデータ作成部４はデジタルデータを受け取ると、受け取ったデジタルデータに基づいてイメージデータ１０を作成するとともに、そのイメージデータ１０のサムネール１１およびページ番号情報を作成し、作成したイメージデータ１０、サムネール１１およびページ番号情報を保存制御部７に渡し、保存制御部７はイメージデータ１０、サムネール１１およびページ番号情報を受け取ると、イメージデータ１０、サムネール１１、ページ番号情報および属性情報１５を関連付けて保存部８に保存する（なお、ページ番号情報は図示しない）。
【００７３】
入力部１２によりユーザから原稿のスキップの指示が入力された場合、入力部１２はスキップの指示が入力された旨を画像読取制御部２に対して通知し、画像読取制御部２はスキップの指示が入力された通知を受け付けると、スキップの指示が入力された旨をイメージデータ作成部４に対して通知し、イメージデータ作成部４はスキップの指示が入力された通知を受け付けると、ページ番号情報であるページ番号および総ページ数のカウントを１つ上げる。
【００７４】
入力部１２によりユーザからイメージデータの一覧の表示の要求が入力された場合、入力部１２はイメージデータの一覧の表示の要求が入力された旨を画像読取制御部２に対して通知し、画像読取制御部２はイメージデータの一覧の表示の要求が入力された通知を受け付けると、イメージデータの一覧の表示を表示制御部９に対して指示し、表示制御部９はイメージデータの一覧の表示の指示を受け付けると、保存部８からイメージデータのサムネール１１を読み出し、読み出したイメージデータのサムネール１１の一覧を表示部１３に表示する。なお、属性情報の一覧の表示の要求が入力された場合、表示制御部９は保存部８から属性情報１５およびページ番号情報を読み出し、読み出した属性情報１５およびページ番号情報の一覧を表示部１３に表示する
次に、スキップ用のイメージデータ等を保存しない構成を適用した画像読取装置１が行うイメージデータ読み取りの処理手順について図６に示すフローチャートを参照して説明する。
【００７５】
原稿のスキップの指示を受け付けたか否かを確認する（ステップＳ６０１）。原稿のスキップの指示を受け付けていないことを確認した場合（ステップＳ６０１でＮＯ）、ステップＳ６０２に進み、原稿のスキップの指示を受け付けたことを確認した場合（ステップＳ６０１でＹＥＳ）、ステップＳ６０６に進む。
【００７６】
原稿のスキップの指示を受け付けていないことを確認した場合（ステップＳ６０１でＮＯ）、原稿を読み取り（ステップＳ６０２）、イメージデータを作成し（ステップＳ６０３）、ページ番号情報を作成し（ステップＳ６０４）、イメージデータ、ページ番号情報および属性情報を保存し（ステップＳ６０５）、ステップＳ６０６に進む。
【００７７】
原稿が終了したか否か確認する（ステップＳ６０６）。原稿が終了したことを確認した場合（ステップＳ６０６でＹＥＳ）、イメージデータ読み取りの処理手順を終了し、原稿が終了していないことを確認した場合（ステップＳ６０６でＮＯ）、ステップＳ６０１に戻り、原稿が終了するまでステップＳ６０１〜ステップＳ６０５を繰り返す。
【００７８】
次に、スキップ用のイメージデータ等を保存しない構成を適用した画像読取装置１で行うイメージデータ一覧若しくは属性情報一覧の表示について具体例を用いて説明する。
【００７９】
図７（ａ）は、イメージデータ一覧の画面の一例を示す図である。
【００８０】
図７（ａ）に示す画面には、読み取ったイメージデータのサムネールが表示されるとともに、そのサムネールに対応するページ番号情報が表示されており、ユーザがこの画面を見ることで、「５／１５」、「７／１５」、「１２／１５」、「１３／１５」および「１４／１５」のページ番号情報に対応するサムネールが表示されていないことが確認でき、従って、ユーザは５枚目、７枚目、１２枚目、１３枚目および１４枚目の原稿がスキップされたことを確認できる。
【００８１】
図７（ｂ）は、属性情報一覧の画面の一例を示す図である。
【００８２】
図７（ｂ）に示す画面には、読み取ったイメージデータのページ番号情報および属性情報が表示されており、ユーザがこの画面を見ることで、「５／１５」、「７／１５」、「１２／１５」、「１３／１５」および「１４／１５」のページ番号情報が表示されていないことが確認でき、従って、ユーザは５枚目、７枚目、１２枚目、１３枚目および１４枚目の原稿がスキップされたことを確認できる。
【００８３】
更に、本発明を適用した画像読取装置１は、イメージデータの差し替えを行うことが可能である。
【００８４】
次に、イメージデータ１０を差し替える際に画像読取装置１が行う機能的な動作について図１を参照して説明する。
【００８５】
イメージデータの一覧が表示部１３に表示されている際に、入力部１２によりユーザからイメージデータの差し替えの指示が入力された場合、入力部１２は差し替えの指示が入力された旨を画像読取制御部２に対して通知し、画像読取制御部２は差し替えの指示が入力された通知を受け付けると、差し替えるイメージデータの指定を促す画面の表示を表示制御部９に対して指示し、表示制御部９は差し替えるイメージデータの指定を促す画面の表示の指示を受け付けると、差し替えるイメージデータの指定を促す画面を表示部１３に表示する。
【００８６】
入力部１２によりユーザから差し替えるイメージデータが指定されると、入力部１２は差し替えるイメージデータが指定された旨を画像読取制御部２に通知し、画像読取制御部２は差し替えるイメージデータが指定された通知を受け付けると、原稿の読み取りを画像読取部３に対して指示するとともに、これから画像読取部３により読み取るイメージデータ１０と、指定されたイメージデータとの差し替えを保存制御部７に指示する。
【００８７】
画像読取部３は原稿の読み取りの指示を受け付けると、原稿を読み取ってデジタルデータを入力し、入力したデジタルデータをイメージデータ作成部４に渡し、イメージデータ作成部４はデジタルデータを受け取ると、受け取ったデジタルデータに基づいてイメージデータ１０を作成するとともに、そのイメージデータ１０のサムネール１１を作成し、作成したイメージデータ１０およびサムネール１１を保存制御部７に渡す。
【００８８】
保存制御部７は画像読取制御部２からイメージデータの差し替えの指示を受け付けるとともに、イメージデータ作成部４からイメージデータ１０およびサムネール１１を受け取ると、イメージデータ作成部か４ら受け取ったイメージデータ１０およびサムネール１１と、指定されたイメージデータとを差し替え、差し替えたイメージデータ１０、サムネール１１および属性情報１５を関連付けて保存部８に保存する。
【００８９】
次に、画像読取装置１が行うイメージデータ差し替えの処理手順について図８に示すフローチャートを参照して説明する。
【００９０】
イメージデータ一覧を表示し（ステップＳ８０１）、差し替え指示を受け付けたか否かを確認する（ステップＳ８０２）。差し替え指示を受け付けたことを確認した場合（ステップＳ８０２でＹＥＳ）、ステップＳ８０３に進み、差し替え指示を受け付けていないことを確認した場合（ステップＳ８０２でＮＯ）、イメージデータ差し替えの処理手順を終了する。
【００９１】
差し替え指示を受け付けたことを確認した場合（ステップＳ８０２でＹＥＳ）、ページ指定を受け付けると（ステップＳ８０３でＹＥＳ）、原稿を読み取り（ステップＳ８０４）、イメージデータを作成し（ステップＳ８０５）、作成したイメージデータおよびその属性情報と、指定されたページのイメージデータおよびその属性情報とを差し替え（ステップＳ８０６）、イメージデータ差し替えの処理手順を終了する。
【００９２】
次に、画像読取装置で行うイメージデータの差し替えについて具体例を用いて説明する。
【００９３】
図９（ａ）は、イメージデータ一覧の画面の一例を示す図である。
【００９４】
図９（ａ）に示す画面には、読み取ったイメージデータのサムネールと、スキップされたことを示すスキップ用のイメージデータのサムネールとが表示されている。ここで、イメージデータの差し替えを行う場合は、「差し替え」ボタン２１を押下等することで、差し替えるイメージデータを指定するための画面が表示部１３に表示される。
【００９５】
図９（ｂ）は、差し替えるイメージデータを指定するための画面の一例を示す図である。
【００９６】
図９（ｂ）に示す画面において差し替えるイメージデータを指定することができる。例えば、「５」のスキップ情報が表示されているスキップ用のサムネール２２に対応するイメージデータを差し替える場合、ユーザは「５」のスキップ情報が表示されているスキップ用のサムネール２２を押下等し、「読み取る」ボタン１６を押下等することで、原稿の読み取りを開始し、読み取った原稿のイメージデータが、ユーザが指定した「５」のスキップ情報が付加されたイメージデータ２２と差し替えられて保存され、図９（ｃ）に示す画面に差し替えられたイメージデータのサムネールが表示される。
【００９７】
なお、属性情報一覧の画面からイメージデータの差し替えを行うこともできる。
【図面の簡単な説明】
【００９８】
【図１】本発明を適用した画像読取装置１の機能的な構成を示すブロック図である。
【図２】画像読取装置１が行うイメージデータ読み取りの処理手順を示すフローチャートである。
【図３】原稿を読み取る際に表示部１３に表示される画面の一例を示す図である。
【図４】スキップ情報を入力するための画面の一例を示す図である。
【図５】イメージデータ一覧および属性情報一覧の画面の一例を示す図である。
【図６】スキップ用のイメージデータ等を保存しない構成を適用した画像読取装置１が行うイメージデータ読み取りの処理手順を示すフローチャートである。
【図７】イメージデータ一覧および属性情報一覧の画面の一例を示す図である。
【図８】画像読取装置１が行うイメージデータ差し替えの処理手順を示すフローチャートである。
【図９】イメージデータの差し替えについて説明する図である。
【符号の説明】
【００９９】
１    画像読取装置
２    画像読取制御部
３    画像読取部
４    イメージデータ作成部
５    ＵＩ
６    スキップ情報付加部
７    保存制御部
８    保存部
９    表示制御部
１０    イメージデータ
１１    サムネール
１２    入力部
１３    表示部
１４    スキップ情報
１５    属性情報
１６    「読み取る」ボタン
１７    「終了」ボタン
１８    「スキップ」ボタン
１９    スキップ情報入力欄
２０    「入力」ボタン
２１    「差し替え」ボタン
２２    サムネール
【図１】
2006067474.tif 000003
【図２】
2006067474.tif 000004
【図３】
2006067474.tif 000005
【図４】
2006067474.tif 000006
【図５】
2006067474.tif 000007
【図６】
2006067474.tif 000008
【図７】
2006067474.tif 000009
【図８】
2006067474.tif 000010
【図９】
2006067474.tif 000011